(57)【要約】  引き違いドアのスライド装置に係り、前方ドアの両側の上端に上端外側ブラケットと上端内側ブラケットが上側連結浅により連結された状態で嵌着されて前方への移動後に両側にスライドするように形成された前方上側ローラ部と、前記前方ドアの両側の下端に下端外側ブラケットと下端内側ブラケットが下側連結浅により連結された状態で嵌着されて前方への移動後に両側にスライドするように形成された前方下側ローラ部と、前記前方ドアの一方の側に形成された後方ドアがスライドするように後方ドアの両側の上下端に後方外側ブラケットと後方内側ブラケットを形成した後方ローラ部と、前記前方上側ローラ部の上端内側ブラケットと前方下側ローラ部の下端内側ブラケットが前方に移動しながらスライドするように後方ドアフレームの上下端面と後方内側ブラケットの上下側面に案内レールを形成した前方レール部と、前記前方ドアと後方ドアが両側にスライドするように函体の上下端に直線レールを形成した直線レール部とを備える。【選択図】図１
2019510150.tif 000002
【特許請求の範囲】
【請求項１】
前方ドア（１１）の両側の上端に上端外側ブラケット（１２）と上端内側ブラケット（１３）が上側連結浅（１４）により連結された状態で嵌着されて前方への移動後に両側にスライドするように形成された前方上側ローラ部（１０）と、
前記前方ドア（１１）の両側の下端に下端外側ブラケット（２１）と下端内側ブラケット（２２）が下側連結浅（２３）により連結された状態で嵌着されて前方への移動後に両側にスライドするように形成された前方下側ローラ部（２０）と、
前記前方ドア（１１）の一方の側に形成された後方ドア（３１）がスライドするように後方ドア（３１）の両側の上下端に後方外側ブラケット（３２）と後方内側ブラケット（３３）を形成した後方ローラ部（３０）と、
前記前方上側ローラ部（１０）の上端内側ブラケット（１３）と前方下側ローラ部（２０）の下端内側ブラケット（２２）が前方に移動しながらスライドするように後方ドアフレーム（３４）の上下端面と後方内側ブラケット（３３）の上下側面に案内レール（４１）を形成した前方レール部（４０）と、
前記前方ドア（１１）と後方ドア（３１）が両側にスライドするように函体の上下端に直線レール（５１）を形成した直線レール部（５０）と、を備える
ことを特徴とする引き違いドアのスライド装置。
【請求項２】
前記前方上側ローラ部（１０）の上端外側ブラケット（１２）と上端内側ブラケット（１３）は、直線レール部（５０）の直線レール（５１）に沿ってスライドするように上端直線胴体（１５）の底面に前後方に上端直線ローラ（１６）を形成し、前記上端直線胴体（１５）の内側において軸受け（Ｂ）により前後方にスライドして前方ドア（１１）の前方への移動を案内できるように前方ドア（１１）の上端の両側に嵌着される上端移動胴体（１７）を形成して前記上端直線胴体（１５）と上端移動胴体（１７）の一方の側に連結された戻りバネ（Ｓ）により弾設し、前記上端移動胴体（１７）の移動の際に衝撃を緩和させるように上端直線胴体（１５）の底面に緩衝器（１８）を形成するが、前記上端内側ブラケット（１３）の上端移動胴体（１７）の後方ドア（３１）側には案内レール（４１）に沿って移動するように上端移動ローラ（１９）を形成した
請求項１に記載の引き違いドアのスライド装置。
【請求項３】
前記前方下側ローラ部（２０）の下端外側ブラケット（２１）は、直線レール（５１）に沿ってスライドするように下端直線胴体（２４）の上面に下端直線ローラ（２５）を形成し、前記下端直線胴体（２４）の外側においてスライドして前方ドア（１１）の前方への移動を案内できるように前方ドア（１１）の下端の外側に嵌着される下端移動胴体（２６）を形成して下端直線胴体（２４）と下端移動胴体（２６）の外側を戻りバネ（Ｓ）により弾設し、下端内側ブラケット（２２）の後方ドア（３１）側には案内レール（４１）に沿って移動するように下端移動ローラ（２７）を形成した
請求項１に記載の引き違いドアのスライド装置。
【請求項４】
前記後方ローラ部（３０）の後方外側ブラケット（３２）と後方内側ブラケット（３３）には後方水平ローラ（３４）を形成して直線レール（５１）に沿ってスライドするように形成し、後方内側ブラケット（３３）の前方ドア（１１）側には上側連結浅（１４）と下側連結浅（２３）の後方に転がり接触してスライドするように連結浅ローラ（３５）を形成した
請求項１に記載の引き違いドアのスライド装置。
【請求項５】
前記後方ローラ部（３０）の後方ドア（３１）の下端に形成された後方外側ブラケット（３２）と後方内側ブラケット（３３）の後方には、緩衝機に係止される緩衝掛け金（３６）を延設した
請求項１に記載の引き違いドアのスライド装置。
【請求項６】
前記後方ローラ部（３０）の後方ドア（３１）の下端に形成された後方外側ブラケット（３１）と前方下側ローラ部（２０）の下端外側ブラケット（２１）の底面には、前方ドア（１１）と後方ドア（３１）の下側に突出するように引手（６０）を形成した
請求項１に記載の引き違いドアのスライド装置。
【請求項７】
前記前方レール部（４０）の後方ドアフレーム（３４）に形成された案内レール（４１）は直線状に形成し、前記案内レール（４１）と連結される後方内側ブラケット（３３）の案内レール（４１）は、後方に曲がった曲線レール状に形成された
請求項１に記載の引き違いドアのスライド装置。
【請求項８】
前記上端直線ローラ（１６）は前方ドア（１１）と水平に形成し、上端移動ローラ（１９）は垂直に形成した
請求項２に記載の引き違いドアのスライド装置。
【請求項９】
前記上端外側ブラケット（１２）と上端内側ブラケット（１３）の上端直線胴体（１５）の後方には、緩衝機に係止される掛止金具（１５’）を形成した
請求項２に記載の引き違いドアのスライド装置。
【請求項１０】
前記下端直線ローラ（２５）と下端移動ローラ（２７）は、前方ドア（１１）と垂直に形成した
請求項３に記載の引き違いドアのスライド装置。
【請求項１１】
前記後方ローラ部（３０）の後方ドア（３１）の上端の後方外側ブラケット（３２）と後方内側ブラケット（３３）に形成された後方水平ローラ（３４）は、後方ドア（３１）と水平に形成され、前記後方ドア（３１）の下端の後方外側ブラケット（３２）と後方内側ブラケット（３３）に形成された後方水平ローラ（３４）と連結浅ローラ（３５）は、後方ドア（３１）と垂直に形成された
請求項４に記載の引き違いドアのスライド装置。
【発明の詳細な説明】
【技術分野】
【０００１】
本発明は、引き違いドアのスライド装置に係り、さらに詳しくは、収納空間を有する家具又はバスルームの収納キャビネットの前方を開閉する引き違い用ドアがスライドして重なり合うとき、後方ドアの上下端に形成されたレールを介してスライドすることにより、従来のレールにドアのみを結合しても一直線上に位置する前方ドアと後方ドアが重なり合いながら開かれて製品の互換性を高め、引き違い用ドアの両側扉を同時に開閉することができて製品の使用が効率的であり、ドアが前方に移動したり元の位置に戻ったりするときに衝撃を緩衝させながら移動して製品の騒音を減らし、耐久性を向上させた引き違いドアのスライド装置に関する。
【背景技術】
【０００２】
一般に、収納空間を有し、かつ、物品を収納可能な収納キャビネットや本棚又は押し入れクローゼットなどの家具に収納されている物品が外部から見えないようにするために家具の正面に様々なドアを設置している。
【０００３】
このようなドアは、開閉方式に応じて、大きく、開き戸式と引き戸式とに分けられ、このような開き戸式は、ドアがヒンジや蝶番により回転軸を中心として回転しながら開閉される方式であり、引き戸式は、レールに沿ってドアの幅に見合う分だけ開閉される方式である。
【０００４】
上述したような開き戸式は、ドアが回転することに伴い、ドアの幅に見合う分の空間が必要であり、引き戸式は、ドアの枚数に見合う分だけレールを形成し、それぞれのドアの干渉を防ぐためにドア間の間隔を保たなければならないため、ドアが形成される幅を家具が収容しなければならなかった。
上述したような引き戸式ドアの開閉装置の欠点を補う特許文献１が提案されている。
【０００５】
上述したような引き戸式ドアの開閉装置は、左右にスライドするとともに、前後に移動するときに摩擦抵抗が極力抑えられた状態で安定的でありながらも円滑に開閉が行われるようにし、前後への移動の際により一層安定的に行われる。
【０００６】
しかしながら、上述したような引き戸式ドアは、ドアが前後に移動するためにレールフレームが直線レールと前方に突出した曲線レールを形成しなければならないため、別途のレールを敷設して構造が複雑であり、その結果、生産性が低下するという問題があった。
【０００７】
また、両側のドアがスライドしながら前後に移動する軌跡が同じであるため、両側のドアを同時に開くことができないため、製品の効率性が低下し、ドアの前後への移動の際に緩衝装置がないため、ドアのスライドの際に騒音が生じ、しかも、衝撃による製品の耐久性が低下するという問題があった。
【先行技術文献】
【特許文献】
【０００８】
【特許文献１】大韓民国登録特許第１１８０４６９号公報
【発明の概要】
【発明が解決しようとする課題】
【０００９】
そこで、本発明は、上述したような従来の技術の諸問題に鑑みて案出されたものであり、引き違い用ドアがスライドして重なり合うとき、従来のレールにドアのみを結合しても一直線上に位置する前方ドアと後方ドアが重なり合いながら開かれて、製品の互換性を高めることのできる引き違いドアのスライド装置を提供するところにその目的がある。
【００１０】
また、本発明の他の目的は、引き違い用ドアの両側扉を同時に開閉することができて家具やバスルームの収納キャビネットの収納場所を問わずに同時に使用することができて製品の使用が効率的であり、ドアが前方に移動したり元の位置に戻ったりするときに衝撃を緩衝させながら移動して製品の騒音を減らし、耐久性を向上させた引き違いドアのスライド装置を提供することである。
【課題を解決するための手段】
【００１１】
上記のような目的を達成するために、本発明は、前方ドアの両側の上端に上端外側ブラケットと上端内側ブラケットが上側連結浅により連結された状態で嵌着されて前方への移動後に両側にスライドするように形成された前方上側ローラ部と、前記前方ドアの両側の下端に下端外側ブラケットと下端内側ブラケットが下側連結浅により連結された状態で嵌着されて前方への移動後に両側にスライドするように形成された前方下側ローラ部と、前記前方ドアの一方の側に形成された後方ドアがスライドするように後方ドアの両側の上下端に後方外側ブラケットと後方内側ブラケットを形成した後方ローラ部と、前記前方上側ローラ部の上端内側ブラケットと前方下側ローラ部の下端内側ブラケットが前方に移動しながらスライドするように後方ドアフレームの上下端面と後方内側ブラケットの上下側面に案内レールを形成した前方レール部と、前記前方ドアと後方ドアが両側にスライドするように函体の上下端に直線レールを形成した直線レール部と、から構成されることを特徴とする。
【００１２】
前記前方上側ローラ部の上端外側ブラケットと上端内側ブラケットは、直線レール部の直線レールに沿ってスライドするように上端直線胴体の底面に前後方に上端直線ローラを形成し、前記上端直線胴体の内側において軸受けにより前後方にスライドして前方ドアの前方への移動を案内できるように前方ドアの上端の両側に嵌着される上端移動胴体を形成して前記上端直線胴体と上端移動胴体の一方の側に連結された戻りバネにより弾設し、前記上端移動胴体の移動の際に衝撃を緩和させるように上端直線胴体の底面に緩衝器を形成するが、前記上端内側ブラケットの上端移動胴体の後方ドア側には案内レールに沿って移動するように上端移動ローラを形成したことを特徴とする。
【００１３】
前記前方下側ローラ部の下端外側ブラケットは、直線レールに沿ってスライドするように下端直線胴体の上面に下端直線ローラを形成し、前記下端直線胴体の外側においてスライドして前方ドアの前方への移動を案内できるように前方ドアの下端の外側に嵌着される下端移動胴体を形成して下端直線胴体と下端移動胴体の外側を戻りバネにより弾設し、下端内側ブラケットの後方ドア側には案内レールに沿って移動するように下端移動ローラを形成したことを特徴とする。
【００１４】
前記後方ローラ部の後方外側ブラケットと後方内側ブラケットには後方水平ローラを形成して直線レールに沿ってスライドするように形成し、後方内側ブラケットの前方ドア側には上側連結浅と下側連結浅の後方に転がり接触してスライドするように連結浅ローラを形成したことを特徴とする。
【００１５】
前記後方ローラ部の後方ドアの下端に形成された後方外側ブラケットと後方内側ブラケットの後方には、緩衝機に係止される緩衝掛け金を延設したことを特徴とする。
【００１６】
前記後方ローラ部の後方ドアの下端に形成された後方外側ブラケットと前方下側ローラ部の下端外側ブラケットの底面には、前方ドアと後方ドアの下側に突出するように引手を形成したことを特徴とする。
【００１７】
前記前方レール部の後方ドアフレームに形成された案内レールは直線状に形成し、前記案内レールと連結される後方内側ブラケットの案内レールは、後方に曲がった曲線レール状に形成されたことを特徴とする。
前記上端直線ローラは前方ドアと水平に形成し、上端移動ローラは垂直に形成したことを特徴とする。
前記上端外側ブラケットと上端内側ブラケットの上端直線胴体の後方には、緩衝機に係止される掛止金具を形成したことを特徴とする。
前記下端直線ローラと下端移動ローラは、前方ドアと垂直に形成したことを特徴とする。
【００１８】
前記後方ローラ部の後方ドアの上端の後方外側ブラケットと後方内側ブラケットに形成された後方水平ローラは、後方ドアと水平に形成され、前記後方ドアの下端の後方外側ブラケットと後方内側ブラケットに形成された後方水平ローラと連結浅ローラは、後方ドアと垂直に形成されたことを特徴とする。
【発明の効果】
【００１９】
上述したように、本発明は、引き違い用ドアがスライドして重なり合うとき、後方ドアの上下端に形成されたレールを介してスライドすることにより、従来のレールにドアのみを結合しても一直線上に位置する前方ドアと後方ドアが重なり合いながら開かれて、製品の互換性を高めることができ、引き違い用ドアの両側扉を同時に開閉することができて家具やバスルームの収納キャビネットの収納場所を問わずに同時に使用することができて製品の使用が効率的であり、ドアが前方に移動したり元の位置に戻ったりするときに衝撃を緩衝させながら移動して製品の騒音を減らし、耐久性を向上させるという効果がある。
【００２０】
以上、本発明を特定の好適な実施形態を挙げて図示しかつ説明したが、本発明は上述した実施形態に何等限定されるものではなく、本発明の精神を逸脱しない範囲内において当該発明が属する技術分野において通常の知識を有する者により様々な変更と修正を加えることができる筈である。
【図面の簡単な説明】
【００２１】
【図１】本発明に係る引き違いドアのスライド装置の上端外側ブラケットを示す分解斜視図
【図２】本発明に係る引き違いドアのスライド装置の上端内側ブラケットを示す分解斜視図
【図３】本発明に係る引き違いドアのスライド装置の上端内側ブラケットを示す断面図
【図４】本発明に係る引き違いドアのスライド装置の下端内側ブラケットを示す分解斜視図
【図５】本発明に係る引き違いドアのスライド装置の下端外側ブラケットを示す分解斜視図
【図６】本発明に係る引き違いドアのスライド装置の前方ドアの分解斜視図
【図７】本発明に係る引き違いドアのスライド装置の前方ドアを示す斜視図
【図８】本発明に係る引き違いドアのスライド装置の後方ドア上端の後方内側ブラケットを示す分解斜視図
【図９】本発明に係る引き違いドアのスライド装置の後方ドア上端の後方外側ブラケットを示す分解斜視図
【図１０】本発明に係る引き違いドアのスライド装置の後方ドア下端の後方内側ブラケットを示す分解斜視図
【図１１】本発明に係る引き違いドアのスライド装置の後方ドア下端の後方外側ブラケットを示す分解斜視図
【図１２】本発明に係る引き違いドアのスライド装置の後方ドアを示す組立て斜視図
【図１３】本発明に係る引き違いドアのスライド装置のドアが閉じられた状態の字上下端外側ブラケットを示す説明図
【図１４】本発明に係る引き違いドアのスライド装置のドアが閉じられた状態の上下端内側ブラケットを示す説明図
【図１５】本発明に係る引き違いドアのスライド装置の直線レールに適用された状態を示す斜視図
【図１６】本発明に係る引き違いドアのスライド装置の直線レールに適用された状態を示す断面図
【図１７】本発明に係る引き違いドアのスライド装置の閉状態を示す平面図
【図１８】本発明に係る引き違いドアのスライド装置の開状態を示す平面図
【図１９】本発明に係る引き違いドアのスライド装置の上端内側断面を示す説明図
【図２０】本発明に係る引き違いドアのスライド装置の下端内側断面を示す説明図
【図２１】本発明に係る引き違いドアのスライド装置の組立て状態説明図
【発明を実施するための形態】
【００２２】
本発明の好適な実施形態を示す添付図面及び添付図面に記載の内容を参照すると、本発明と本発明の動作上の利点及び本発明の実施によって達成される目的を理解できる。
【００２３】
以下、本発明の具体的な実施形態を参照して本発明を詳述する。下記の実施形態は、本発明をさらに詳細に説明するために提供されるものに過ぎず、これにより本発明の技術的な範囲が限定されることはない。
【００２４】
添付の図１８は、本発明に係る引き違いドアのスライド装置の組立て状態図である。
【００２５】
同図に示すように、本発明の引き違いドアのスライド装置は、前方ドア１１を開閉する前方上側ローラ部１０と前方下側ローラ部２０を形成し、後方ドア３１には後方ローラ部３０を形成し、前記前方上側ローラ部１０と前方下側ローラ部２０がスライドする前方レール部４０と、前後方ドア１１、３１がスライドする直線レール部５０と、から構成される。
【００２６】
上述したような前方上側ローラ部１０は、図１から図３に示すように、前方ドア１１の両側の上端に上端外側ブラケット１２と上端内側ブラケット１３が上側連結浅１４により連結された状態で嵌着される。
【００２７】
このような前記前方上側ローラ部１０の上端外側ブラケット１２と上端内側ブラケット１３は、直線レール部５０の直線レール５１に沿ってスライドするように上端直線胴体１５の底面に前後方に前方ドア１１と水平に形成された上端直線ローラ１６を形成し、前記上端直線胴体１５の内側において軸受けＢによって前後方にスライドして前方ドア１１の前方への移動を案内できるように前方ドア１１の上端の両側に嵌着される上端移動胴体１７を形成する。
【００２８】
上記の上端直線胴体１５と上端移動胴体１７の一方の側に連結された戻りバネＳにより弾設し、前記上端移動胴体１７の移動の際に衝撃を緩和させるように上端直線胴体１５の底面に緩衝器１８を形成し、内側には前方ドア１１と垂直に設けられた上端移動ローラ１９を形成する。
【００２９】
また、前記上端外側ブラケット１２と上端内側ブラケット１３の上端直線胴体１５の後方には、函体の上側に形成された緩衝機に係止される掛止金具１５’を形成する。
このような前記前方ドア１１の両側の下端には、前方下側ローラ部２０を形成する。
【００３０】
上述したような前方下側ローラ部２０は、図４及び図５に示すように、前方ドア１１の下端の両側に下端外側ブラケット２１と下端内側ブラケット２２が下側連結浅２３により連結された状態で嵌着されて前方への移動後に両側にスライドするように形成する。
【００３１】
このような前記前方下側ローラ部２０の下端外側ブラケット２１は、直線レール５１に沿ってスライドするように下端直線胴体２４の上面に前方ドア１１と垂直に形成された下端直線ローラ２５を形成し、前記下端直線胴体２４の外側においてスライドして前方ドア１１の前方への移動を案内できるように前方ドア１１の下端の外側に嵌着される下端移動胴体２６を形成する。
【００３２】
上述したような下端直線胴体２４と下端移動胴体２６の外側を戻りバネＳによって弾設し、下端内側ブラケット２２には前方ドア１１と垂直に形成した下端移動ローラ２７を形成する。
このような前記前方ドア１１の一方の側に形成された後方ドア３１には、後方ローラ部３０を形成する。
【００３３】
前記後方ローラ部３０は、図８から図１２に示すように、後方ドア３１がスライドするように後方ドア３１の両側の上下端に後方外側ブラケット３２と後方内側ブラケット３３を形成する。
【００３４】
上述したような後方ローラ部３０の後方外側ブラケット３２と後方内側ブラケット３３には後方水平ローラ３４を形成し、後方内側ブラケット３３の前方ドア１１側には連結浅２３の後方に転がり接触してスライドするように連結浅ローラ３５を形成する。
【００３５】
また、前記後方ローラ部３０の後方ドア３１の下端に形成された後方外側ブラケット３２と後方内側ブラケット３３の後方には、緩衝機に係止される緩衝掛け金３６を延設する。
【００３６】
前記後方ローラ部３０の後方ドア３１の下端に形成された後方外側ブラケット３１と前方下側ローラ部２０の下端外側ブラケット２１の底面には、前方ドア１１と後方ドア３１の下側に突出するように引手６０を形成する。
【００３７】
前記後方ローラ部３０の後方ドア３１の上端の後方外側ブラケット３２と後方内側ブラケット３３に形成された後方水平ローラ３４は、後方ドア３１と水平に形成され、前記後方ドア３１の下端の後方外側ブラケット３２と後方内側ブラケット３３に形成された後方水平ローラ３４と連結浅ローラ３５は、後方ドア３１と垂直に形成する。
【００３８】
このような前記前方上側ローラ部１０の上端内側ブラケット１３と前方下側ローラ部２０の下端内側ブラケット２２が前方に移動しながらスライドするように前方レール部４０を形成する。
【００３９】
上記の前方レール部４０は、後方ドアフレーム３４の上下端面と後方内側ブラケット３３の上下側面に案内レール４１を形成するが、前方レール部４０の後方ドアフレーム３４に形成された案内レール４１は直線状に形成し、前記案内レール４１と連結される後方内側ブラケット３３の案内レール４１は後方に曲がった曲線レール状に形成する。
【００４０】
一方、図１５及び図１６に示すように、前記前方ドア１１と後方ドア３１が両側にスライドするように直線レール部５０を形成するが、前記直線レール部５０は、函体の上下端に直線レール５１を形成する。
上述したように構成された本発明の作用及び効果について説明すれば、次の通りである。
まず、収納空間が形成された函体の正面に前方ドア１１と後方ドア３１を形成する。
【００４１】
このような前方ドア１１と後方ドア３１は、函体を閉鎖したときに同じ直線上に位置し、引き違い方式で開かれたときには、前方ドア１１と後方ドア３１が重なり合った状態を維持するために、図１８に示すように、前方ドア１１に固定された上端外側ブラケット１２と上端内側ブラケット１３及び下端外側ブラケット２１の上端移動胴体１７と下端移動胴体２６が上端直線胴体１５と下端直線胴体２４においてスライドして前方に移動しながら前方ドア１１と後方ドア１３が重なり合った状態を維持する。
【００４２】
このとき、前方ドア１１が後方ドア３１の手前に重なるためには、上端内側ブラケット１３の上端移動胴体１７に形成された上端移動ローラ１９が後方ドア３１の後方ドアフレーム３４の上端面と後方内側ブラケット３３の上側面に形成された案内レール４１に沿って移動し、下端内側ブラケット２２に形成された下端移動ローラ２７は、後方ドア３１の後方ドアフレーム３４の下端面と後方内側ブラケット３３の下側面に形成された案内レール４１に沿って移動する。
このように、案内レール４１に沿って前方ドア１１が前方に移動しながら開閉される。
【００４３】
このように、前方ドア１１の移動の際に前方ドア１１に固定される上端外側ブラケット１２と上端内側ブラケット１３とを連結する上側連結浅１４、及び下端外側ブラケット２１と下端内側ブラケット２２とを連結する下側連結浅２３の後方に後方内側ブラケット３３に形成された連結浅ローラ３５が転がり接触して開閉の際に安定感を高める。
【００４４】
このように、前方ドア１１が後方ドア３１に形成された案内レール４１に沿って移動することにより、前方ドア１１と後方ドア３１を同時に開いても前方ドア１１と後方ドア３１が重なり合いながら開かれる。
【００４５】
このようにして移動する図１９及び図２０に示すように、前方ドア１１の上端に形成された上端移動ローラ１９と後方ドア３１に形成された連結浅ローラ３５が平面上にローラ間の間隔なしに面接触してローリングするように形成してドアの揺動なしに安定的に開閉され、前方ドア１１及び後方ドア３１が同時にローリングされながら開閉可能になる。
【００４６】
このようにして開閉される前方ドア１１と後方ドア３１の内側後端もまた、下端移動ローラ２７と連結浅ローラ３５もまた平面上にローラ間の間隔なしにローリングするように形成することにより、ドアの揺動なしに安定的に開閉され、前方ドア１１及び後方ドア３１が同時にローリングされながら開閉可能になる。
【００４７】
また、前記前方ドア１１の上端外側ブラケット１２と上端内側ブラケット１３の上端直線胴体１５に形成された上端直線ローラ１６と下端外側ブラケット２１の下端直線胴体２４が下端直線ローラ２５が直線レール５１に沿ってスライドする。
【００４８】
前記直線レール５１には、後方外側ブラケット３２と後方内側ブラケット３３に形成された後方水平ローラ３４が転がり接触しながらスライドして後方ドア３１が移動する。
【００４９】
上述したように、前方ドア１１が後方ドア３１と重なり合うと、上端直線胴体１５と上端移動胴体１７に形成された戻りバネＳと、下端直線胴体２４と下端移動胴体２５とを連結する戻りバネＳとが引っ張られた状態を維持する。
【００５０】
このような状態で、前方ドア１１と後方ドア３１が同じ直線上に位置するようにして函体を閉じると、上述したスライド方法と同じ方法によりスライドしながら、図１７に示すように、上端直線胴体１５と上端移動胴体１７に形成された戻りバネＳと、下端直線胴体２４と下端移動胴体２５とを連結する戻りバネＳの復元力により上端直線胴体１５と上端移動胴体１７及び下端直線胴体２４と下端移動胴体２５が元の位置に挿入されながら戻る。
このとき、前方ドア１１が元の位置に戻るときの衝撃は、上端直線胴体１５の底面に形成された緩衝器１８が上端移動胴体１７の移動を緩衝させる。
【００５１】
上述したように、ドアの開閉は、後方外側ブラケット３１と下端外側ブラケット２１に形成された引手６０を把持して開閉することができて開閉し易く、ドアの開閉の際に緩衝が行えるように函体の上下端に形成された緩衝装置に係止されて緩衝できるように上端直線胴体１５の掛止金具１５’と後方外側ブラケット３２と後方内側ブラケット３３の後方に形成された緩衝掛け金３６により緩衝される。
【符号の説明】
【００５２】
１０  前方上側ローラ部
１１  前方ドア
１２  上端外側ブラケット
１３  上端内側ブラケット
１４  上側連結浅
２０  前方下側ローラ部
２１  下端外側ブラケット
２２  下端内側ブラケット
２３  下側連結浅
３０  後方ローラ部
３１  後方ドア
３２  後方外側ブラケット
３３  後方内側ブラケット
４０  前方レール部
４１  案内レール
５０  直線レール部
５１  直線レール
６０  引手
【図１】
2019510150.tif 000003
【図２】
2019510150.tif 000004
【図３】
2019510150.tif 000005
【図４】
2019510150.tif 000006
【図５】
2019510150.tif 000007
【図６】
2019510150.tif 000008
【図７】
2019510150.tif 000009
【図８】
2019510150.tif 000010
【図９】
2019510150.tif 000011
【図１０】
2019510150.tif 000012
【図１１】
2019510150.tif 000013
【図１２】
2019510150.tif 000014
【図１３】
2019510150.tif 000015
【図１４】
2019510150.tif 000016
【図１５】
2019510150.tif 000017
【図１６】
2019510150.tif 000018
【図１７】
2019510150.tif 000019
【図１８】
2019510150.tif 000020
【図１９】
2019510150.tif 000021
【図２０】
2019510150.tif 000022
【図２１】
2019510150.tif 000023
【国際調査報告】
2019510150.tif 000024
2019510150.tif 000025
2019510150.tif 000026
2019510150.tif 000027